(57)【要約】【課題】主に、梱包された雨樋（特に角部の雨樋）の損傷を有効に低減し得るようにする。【解決手段】円形断面を有する複数本の雨樋１１を、内結束バンド１２で結束する内結束工程と、内結束工程で結束された雨樋束１３を、包装紙１４で包装する包装工程と、包装工程で包装された雨樋束１３の両端部に、対応する形状の保護キャップ１６を取付ける保護キャップ取付工程と、保護キャップ取付工程で保護キャップ１６が取付けられた雨樋束１３に対し、包装紙１４と内結束バンド１２とを切断し、切断部分１８から内結束バンド１２を引抜いた後、包装紙１４の切断部分１８を補修する内結束バンド引抜工程と、内結束バンド引抜工程で内結束バンド１２が引抜かれた雨樋束１３に対し、包装紙１４の外側から外結束バンド２１で結束する外結束工程とを、順に行うようにしている。【選択図】図１
2009126562.tif 000002
【特許請求の範囲】
【請求項１】
円形断面を有する複数本の雨樋を、内結束バンドで結束する内結束工程と、
内結束工程で結束された雨樋束を、包装紙で包装する包装工程と、
包装工程で包装された雨樋束の両端部に、対応する形状の保護キャップを取付ける保護キャップ取付工程と、
保護キャップ取付工程で保護キャップが取付けられた雨樋束に対し、包装紙と内結束バンドとを切断し、切断部分から内結束バンドを引抜いた後、包装紙の切断部分を補修する内結束バンド引抜工程と、
内結束バンド引抜工程で内結束バンドが引抜かれた雨樋束に対し、包装紙の外側から外結束バンドで結束する外結束工程とを、順に行うことを特徴とする雨樋梱包方法。
【請求項２】
雨樋束を、端面がほぼ四角形状となるように梱包することを特徴とする請求項１記載の雨樋梱包方法。
【発明の詳細な説明】
【技術分野】
【０００１】
この発明は、雨樋梱包方法に関するものである。
【背景技術】
【０００２】
建物などには、通常、軒樋や縦樋などの雨樋が取付けられている。このような雨樋は、通常、複数本まとめて梱包されている（例えば、特許文献１参照）。
【０００３】
なお、雨樋には、各種の断面のものが存在しており、このうち、円形断面を有する雨樋（通常は、縦樋）の梱包方法は、従来、図１１に示すように、円形断面を有する雨樋１の束（雨樋束２）を、内結束バンド３で結束する内結束工程と、内結束工程で結束された雨樋束２を、包装紙４で包装する包装工程と、包装工程で包装された雨樋束２に対し、包装紙４の外側から外結束バンド５で結束する外結束工程とを、順に行って梱包されていた。符号７は、包装紙４を固定するテープである。
【０００４】
この場合、雨樋束２は、端面がほぼ六角形状となるように梱包されていた。
【０００５】
ここで、内結束工程は、包装工程の前の仮固定として行われる。この際、内結束バンド３は、１本〜２本程度用いられる。外結束工程は、本固定として行われる。この際、外結束バンド５は、４本程度用いられる。内結束バンド３は、包装紙４の内側にそのまま残される。外結束バンド５または内結束バンド３の締付力は、強いと製品である雨樋１に凹みが発生し、緩いと雨樋１どうしのコスレによって雨樋１の表面にコスレ傷が発生したり、荷崩れが発生して傷付いたりするので、最適に設定することが必要となる。また、端面をほぼ六角形状となるように梱包することによって、雨樋束２は、最も安定した梱包形状となる。
【特許文献１】特開２００１−３０１８１５
【発明の開示】
【発明が解決しようとする課題】
【０００６】
しかしながら、上記雨樋梱包方法では、締付力を最適に設定していた場合であっても、端面がほぼ六角形状となるように梱包された雨樋束２のうちの、特に角部に位置するものに、外結束バンド５または内結束バンド３による凹み６（図１２参照）が発生するのを避けることができなかった。そのため、角部の雨樋１の損傷によって使えなくなる分を見越して多目に出荷するなどしていたので、その分だけ、コストが掛っていた。
【０００７】
この問題について、正確な原因を特定するのは難しいが、現在のところ、雨樋束２に作用する荷重による撓みなどの影響が大きいのではないかと考えられている。この雨樋束２に作用する荷重は、雨樋束２単独での内部荷重や、段積時における上方の雨樋束２からの外部荷重などが存在する。
【０００８】
また、調査によって、上記した角部分の凹み６は、雨樋束２との間に包装紙４が介在される外結束バンド５によるものよりも、雨樋束２に直接接触する内結束バンド３によるものの方が多いことが判明している。
【課題を解決するための手段】
【０００９】
上記課題を解決するために、請求項１に記載された発明は、円形断面を有する複数本の雨樋を、内結束バンドで結束する内結束工程と、内結束工程で結束された雨樋束を、包装紙で包装する包装工程と、包装工程で包装された雨樋束の両端部に、対応する形状の保護キャップを取付ける保護キャップ取付工程と、保護キャップ取付工程で保護キャップが取付けられた雨樋束に対し、包装紙と内結束バンドとを切断し、切断部分から内結束バンドを引抜いた後、包装紙の切断部分を補修する内結束バンド引抜工程と、内結束バンド引抜工程で内結束バンドが引抜かれた雨樋束に対し、包装紙の外側から外結束バンドで結束する外結束工程とを、順に行う雨樋梱包方法を特徴としている。
【００１０】
請求項２に記載された発明は、上記において、雨樋束を、端面がほぼ四角形状となるように梱包することを特徴としている。
【発明の効果】
【００１１】
請求項１の発明によれば、円形断面を有する複数本の雨樋を、内結束バンドで結束する内結束工程と、内結束工程で結束された雨樋束を、包装紙で包装する包装工程と、包装工程で包装された雨樋束の両端部に、対応する形状の保護キャップを取付ける保護キャップ取付工程と、保護キャップ取付工程で保護キャップが取付けられた雨樋束に対し、包装紙と内結束バンドとを切断し、切断部分から内結束バンドを引抜いた後、包装紙の切断部分を補修する内結束バンド引抜工程と、内結束バンド引抜工程で内結束バンドが引抜かれた雨樋束に対し、包装紙の外側から外結束バンドで結束する外結束工程とを、順に行うことにより、以下のような作用効果を得ることができる。即ち、保護キャップ取付工程で、雨樋束の両端部に保護キャップを取付けることにより、段積時における上方の雨樋束からの外部荷重を保護キャップによって受けさせることができ、以て、外部荷重が、雨樋束に直接伝わらないようにすることができる。これにより、外部荷重を原因とする雨樋の損傷を防止することが可能となる。なお、保護キャップを取付けることにより、雨樋束が拘束されるので、雨樋束の端部の形状（梱包形状）自由なものとすることが可能となる。また、内結束バンド引抜工程で、内結束バンドを引抜くことにより、内部荷重によって雨樋が撓んだ場合でも、雨樋に直接接触する内結束バンドがないので、内結束バンドによる雨樋の損傷をなくすことができる。以上により、梱包された雨樋（特に角部の雨樋）の損傷を有効に低減することが可能となる。よって、角部の雨樋の損傷によって使えなくなる雨樋を減らすことができるので、その分だけ、コストを低減することができる。
【００１２】
請求項２の発明によれば、上記において、雨樋束を、端面がほぼ四角形状となるように梱包することにより、雨樋束を、スペース効率良く段積みすることが可能となる。この際、六角形よりも四角形の方がコーナー角度が急になってより損傷を起こす可能性が高くなるが、上記により、梱包された雨樋（特に角部の雨樋）の損傷を有効に低減できるようになっているので、端面がほぼ四角形状となるように梱包した場合であっても支障のないようにすることができる。
【発明を実施するための最良の形態】
【００１３】
以下、本発明を具体化した実施例について、図示例と共に説明する。
【００１４】
図１〜図１０は、この発明の実施例を示すものである。
【００１５】
まず、構成について説明する。
【００１６】
建物などには、通常、軒樋や縦樋などの雨樋が取付けられている。このような雨樋は、通常、複数本まとめて梱包されている。
【００１７】
雨樋には、各種の断面のものが存在しており、このうち、円形断面を有する雨樋（通常は、縦樋）の梱包方法として、本発明では、以下の手段を行う。
【００１８】
即ち、先ず、図１に示すように、円形断面を有する複数本の雨樋１１を、内結束バンド１２で結束する内結束工程を行う。
【００１９】
ここで、内結束バンド１２には、例えば、ＰＰバンドを用いる。内結束工程は、包装工程の前の仮固定として行われる。この際、内結束バンド１２は、１本〜２本程度用いられる。例えば、２本とした場合、内結束バンド１２は、雨樋１１の長さのほぼ１／３程度の位置などを結束する。
【００２０】
次に、内結束工程で結束された雨樋束１３を、包装紙１４で包装する包装工程を行う。
【００２１】
ここで、包装紙１４には、例えば、クラフト紙、ＰＥクロスラミ紙、ＰＰ菱目糸サンドクラフト紙などの紙製のものを用いる。包装後、両端部の折曲部分や合せ目などを所定のテープで貼り合わせる。
【００２２】
そして、図２に示すように、包装工程で包装された雨樋束１３の両端部に、対応する形状の保護キャップ１６を取付ける保護キャップ取付工程を行う。保護キャップ１６は、所定のテープで包装紙１４に固定される。なお、保護キャップ１６については、後述する。
【００２３】
更に、図３に示すように、保護キャップ取付工程で保護キャップ１６が取付けられた雨樋束１３に対し、包装紙１４と内結束バンド１２とを切断し（第一操作）、図４に示すように、切断部分１８から内結束バンド１２を引抜き（第二操作）、その後、図５に示すように、包装紙１４の切断部分１８を補修する（第三操作）、内結束バンド引抜工程を行う。
【００２４】
ここで、内結束バンド引抜工程では、先ず、包装紙１４の上から手探りで内結束バンド１２を探し出す。次に、包装紙１４の内結束バンド１２の部分を、カッターナイフやハサミなどでできるだけ小さく切断し、続けて、内結束バンド１２を切断する（図３）。この際、雨樋１１に傷を付けないように注意する。そして、切断部分１８から内結束バンド１２を引抜き（図４）、包装紙１４の切断部分１８に透明テープ１９を貼って目立たないように補修する（図５）。
【００２５】
最後に、図６に示すように、内結束バンド引抜工程で内結束バンド１２が引抜かれた雨樋束１３に対し、包装紙１４の外側から外結束バンド２１で結束する外結束工程を行う。
【００２６】
ここで、外結束バンド２１には、例えば、ＰＰバンドを用いる。外結束工程は、本固定として行われる。この際、外結束バンド２１は、４本程度用いられる。例えば、４本とした場合、外結束バンド２１は、内結束バンド１２のあった位置の両側などを結束するようにする。外結束バンド２１の締付力は、強いと製品である雨樋１１に凹みが発生し、緩いと雨樋１１どうしのコスレによって雨樋１１の表面にコスレ傷が発生したり、荷崩れが発生して傷付いたりするので、最適に設定することが必要となる。
【００２７】
そして、以上の工程を順に行うことにより、梱包が完成される（梱包体）。
【００２８】
上記において、雨樋束１３を、端面がほぼ四角形状となるように梱包する（四角形状梱包体）。この場合には、図１に示すように、下層から順に、５本、６本、５本、６本、５本の合計２７本の雨樋１１を、芯を半ピッチ分ズラせて５段に積み重ねることにより、端面をほぼ四角形状としている。
【００２９】
これに対応させて、図２に示すように、上記保護キャップ１６も、上面３１と、下面３２と、両側面３３と、外端面３４とを有し、内端面に雨樋束挿入用開口部３５を有する四角形状の箱体などとされている。この場合、保護キャップ１６は、四角形状の雨樋束１３の両端部に嵌着するのに丁度良い大きさに形成する。
【００３０】
ここで、保護キャップ１６には、例えば、段ボールを用いる。段ボールは、両面に配置される平坦なライナーと、ライナー間に介在される波形の中芯とを有する３層構造のものが一般的であり、強度の順に、Ｋ−５、Ｋ−６、Ｋ−７などの規格が存在している。このうち、耐荷重性を考慮すると、Ｋ−６以上の強度のものを使用するのが好ましい。この場合には、例えば、耐荷重性とコストとの兼合いから、Ｋ−６  ＡＦ  ２００ｇのものを最適素材として使用することができる。
【００３１】
特に、保護キャップ１６に、Ｋ−６  ＡＦ  ２００ｇの段ボールを使用する場合、図７〜図１０に示すように、保管時にはほぼ平らな状態に折畳可能で、使用時には段積時における上方の雨樋束１３からの外部荷重に十分耐えられる強度に組立てられるようにしている。即ち、保護キャップ１６は、図７の展開図に示すような構成とし、図８〜図１０に順に示すように組立て、図１０〜図８に順に示すように折畳可能とし、この際、外端面３４を、雨樋束挿入用開口部３５とほぼ同じ大きさの折代部３７，３８を４枚設けることにより、４枚重ねにして、４倍の強度を持たせるようにしている。なお、図７中、符号３９は糊面である。
【００３２】
ここで、保護キャップ１６には、段ボール以外にも、これと同等の物（例えば、木枠、廃プラスチック、クラフト紙を破砕して圧縮した厚紙素材の緩衝素材など）を使用することが可能である。これらには、それぞれの長所があるが、段ボール以外とした場合には、価格面や取扱面で利点がある。
【００３３】
次に、この実施例の作用について説明する。
【００３４】
この実施例によれば、円形断面を有する複数本の雨樋１１を、内結束バンド１２で結束する内結束工程と、内結束工程で結束された雨樋束１３を、包装紙１４で包装する包装工程と、包装工程で包装された雨樋束１３の両端部に、対応する形状の保護キャップ１６を取付ける保護キャップ取付工程と、保護キャップ取付工程で保護キャップ１６が取付けられた雨樋束１３に対し、包装紙１４と内結束バンド１２とを切断し、内結束バンド１２を引抜いた後、包装紙１４の切断部分１８を補修する内結束バンド引抜工程と、内結束バンド引抜工程で内結束バンド１２が引抜かれた雨樋束１３に対し、包装紙１４の外側から外結束バンド２１で結束する外結束工程とを、順に行うことにより、以下のような作用効果を得ることができる。
【００３５】
即ち、保護キャップ取付工程で、雨樋束１３の両端部に保護キャップ１６を取付けることにより、段積時における上方の雨樋束１３からの外部荷重を保護キャップ１６によって受けさせることができ、以て、外部荷重が、雨樋束１３に直接伝わらないようにすることができる。これにより、外部荷重を原因とする雨樋１１の損傷を防止することが可能となる。なお、保護キャップ１６を取付けることにより、雨樋束１３が拘束されるので、雨樋束１３の端部の形状（梱包形状）を自由なものとすることが可能となる。
【００３６】
また、内結束バンド引抜工程で、内結束バンド１２を引抜くことにより、内部荷重によって雨樋１１が撓んだ場合でも、雨樋１１に直接接触する内結束バンド１２がないので、内結束バンド１２による雨樋１１の損傷をなくすことができる。以上により、梱包された雨樋１１（特に角部の雨樋１１）の損傷を有効に低減することが可能となる。よって、角部の雨樋１１の損傷によって使えなくなる雨樋１１を減らすことができるので、その分だけ、コストを低減することができる。
【００３７】
そして、上記において、雨樋束１３を、端面がほぼ四角形状となるように梱包することにより、雨樋束１３を、スペース効率良く段積みすることが可能となる。この際、六角形よりも四角形の方がコーナー角度が急になってより損傷を起こす可能性が高くなるが、上記により、梱包された雨樋１１（特に角部の雨樋１１）の損傷を有効に低減できるようになっているので、端面がほぼ四角形状となるように梱包した場合であっても支障のないようにすることができる。
【実施例】
【００３８】
本願発明の効果を実証するために、実際に雨樋１１を梱包して雨樋１１の損傷の度合いを調べて見た。この際、雨樋束１３は、端面がほぼ四角形状となるように梱包している。この場合、下層から順に、５本、６本、５本、６本、５本の合計２７本の雨樋１１を用いて、上記したように端面をほぼ四角形状としている。なお、締付力は、外結束バンド２１と雨樋１１との間に挿入可能な丸棒の径寸法によって表している。また、評価は、凹み無し、凹み微小を、問題無しとし、凹み小、凹み中、凹み大を、問題有りとしている。
【００３９】
まず、内結束バンド１２を切断し引抜いた上で、外結束バンド２１を４本用いたもの（締付力は１５φの丸棒相当）の場合、凹み無しが１４本、凹み微小が１３本、凹み小が０本、凹み中が０本、凹み大が０本となり、凹み小以上の合計が０本であったので、良好であるという結果が得られた。なお、この場合には、雨樋束１３の層間に、コスレ傷防止用などとして平らな合紙が介在されている（例１）。
【００４０】
次に、内結束バンド１２を切断し引抜いた上で、外結束バンド２１を６本用いたもの（締付力は１５φの丸棒相当）の場合、凹み無しが１７本、凹み微小が１０本、凹み小が０本、凹み中が０本、凹み大が０本となり、凹み小以上の合計が０本であったので、良好であるという結果が得られた。なお、この場合には、雨樋束１３の層間には合紙は介在されていない（例２）。
【００４１】
更に、内結束バンド１２を切断し引抜いた上で、外結束バンド２１を４本用いたもの（締付力は２０φの丸棒相当）の場合、凹み無しが１４本、凹み微小が１１本、凹み小が２本、凹み中が０本、凹み大が０本となり、凹み小以上の合計が０本であったので、やや良好であるという結果が得られた。なお、この場合には、雨樋束１３の層間には合紙は介在されていない（例３）。
【００４２】
そして、内結束バンド１２を切断し引抜いた上で、外結束バンド２１を４本用いたもの（締付力は３０φの丸棒相当）の場合、凹み無しが２６本、凹み微小が０本、凹み小が１本、凹み中が０本、凹み大が０本となり、凹み小以上の合計が１本であったので、やや良好であるという結果が得られた。なお、この場合には、雨樋束１３の層間には合紙は介在されていない（例４）。
【００４３】
最後に比較例として、内結束バンド１２を残した上で、外結束バンド２１を４本用いたもの（締付力は１５φの丸棒相当）の場合、凹み無しが１４本、凹み微小が０本、凹み小が６本、凹み中が０本、凹み大が７本となり、凹み小以上の合計が１３本であったので、不良であるという結果が得られた。なお、この場合には、雨樋束１３の層間には合紙は介在されていない。
【００４４】
以上により、実際に効果があることが確認された。以下は、上記をまとめた表である。
【００４５】
例１    例２    例３    例４    比較例  
内結束    切断    切断    切断    切断    有り    
外結束    ４本    ６本    ４本    ４本    ４本    
締付力    １５φ  １５φ  ２０φ  ３０φ  １５φ  
凹み無し      １４    １７    １４    ２６    １４    
凹み微小      １３    １０    １１      ０      ０    
凹み小          ０      ０      ２      １      ６    
凹み中          ０      ０      ０      ０      ０    
凹み大          ０      ０      ０      ０      ７    
結果        良      良  やや良  やや良    不良    
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００４６】
【図１】本発明の実施例の内結束工程および包装工程を示す斜視図である。
【図２】図１に続く保護キャップ取付工程を示す斜視図である。
【図３】図２に続く内結束バンド引抜工程の第一操作を示す斜視図である。
【図４】図３に続く内結束バンド引抜工程の第二操作を示す斜視図である。
【図５】図４に続く内結束バンド引抜工程の第三操作を示す斜視図である。
【図６】図５に続く外結束工程を示す斜視図である。
【図７】図２の保護キャップの展開図である。
【図８】図７の保護キャップの組立図である。
【図９】図８に続く保護キャップの組立図である。
【図１０】図９に続く保護キャップの組立図である。
【図１１】従来例を示す斜視図である。
【図１２】図１１の雨樋に生じた損傷の状態を示す斜視図である。
【符号の説明】
【００４７】
１１  雨樋
１２  内結束バンド
１３  雨樋束
１４  包装紙
１６  保護キャップ
１８  切断部分
２１  外結束バンド
【図１】
2009126562.tif 000003
【図２】
2009126562.tif 000004
【図３】
2009126562.tif 000005
【図４】
2009126562.tif 000006
【図５】
2009126562.tif 000007
【図６】
2009126562.tif 000008
【図７】
2009126562.tif 000009
【図８】
2009126562.tif 000010
【図９】
2009126562.tif 000011
【図１０】
2009126562.tif 000012
【図１１】
2009126562.tif 000013
【図１２】
2009126562.tif 000014